(57)【要約】【課題】居住人に対する圧迫感を増すことなく、室内空気の熱交換器に対する吸込み風量の増大化を図り熱交換効率の向上を得るとともに、吹出し口の前面側の遮蔽を可能とした空気調和機の室内機を提供する。【解決手段】室内機本体１に、吸込み口および吹出し口１１が開口され、室内熱交換器１３および室内送風機１４が収容される。吹出し口は、室内機本体の前面下部に設けられ、吸込み口は、室内機本体上面部に設けられる上面吸込み口５と、吹出し口の上端縁に沿って設けられ熱交換器下端部と対向する前面下部吸込み口１０とからなる。開閉パネル７は、前面下部吸込み口の前面部に設けられる。開閉パネルは、駆動機構Ｋに連結されて回動駆動され、空調運転停止時に前面下部吸込み口の前面部を遮蔽するとともに吹出し口の前面部を遮蔽する。【選択図】    図２
2012042181.tif 000002
【特許請求の範囲】
【請求項１】
室内から取込まれる空気が流通する吸込み部および、室内へ吹出される空気が流通する吹出し部が開口される室内機本体と、
この室内機本体内に収容され、室内空気と熱交換する熱交換器および、上記吸込み部から室内空気を吸込んで上記熱交換器に流通させ、熱交換した空気を吹出し部から吹出す送風機とを具備し、
上記吹出し部は、室内機本体の前面下部に設けられ、
上記吸込み部は、室内機本体上面部に設けられる上面吸込み部と、上記吹出し部の上端縁に沿って設けられ上記熱交換器の下端部と対向する前面下部吸込み部と、からなり、
上記前面下部吸込み部に、開閉機構に連結され回動駆動される開閉パネルが設けられ、
上記開閉パネルは、空調運転停止時に、上記前面下部吸込み部の前面部を遮蔽するとともに、上記吹出し部の前面部を遮蔽する
ことを特徴とする空気調和機の室内機。
【請求項２】
上記吹出し部は、空調運転に応じて室内への吹出し方向を制御する風向案内体を備えており、空調運転停止時は、吹出し部の下面側を遮蔽する
ことを特徴とする請求項１記載の空気調和機の室内機。
【請求項３】
上記開閉パネル板は、空調運転時に、吹出し部から吹出される熱交換空気の吹出し通風路から外れた位置に駆動変位される
ことを特徴とする請求項１および請求項２のいずれかに記載の空気調和機の室内機。
【請求項４】
上記開閉パネル板は、空調運転時に、吹出し部から吹出される熱交換空気が、上記前面下部吸込み部に吸込まれるのを阻止する位置に駆動変位される
ことを特徴とする請求項１および請求項２のいずれかに記載の空気調和機の室内機。
【発明の詳細な説明】
【技術分野】
【０００１】
本発明の実施形態は、空気調和機の室内機に関する。
【背景技術】
【０００２】
いわゆる壁掛け形の室内機として、室内機本体の上面に吸込み口、前面下部に吹出し口が設けられ、本体内には吸込み口と対向して熱交換器、この熱交換器と吹出し口との間に送風機が配置される構成が一般的である。空調運転時には、送風機が駆動されて室内空気が吸込み口から熱交換器へ導かれ、ここで熱交換したあと吹出し口から吹出される。
【０００３】
ところで、上記熱交換器は側面視が略逆Ｖ字状に形成され、ほとんど大部分は本体上面の吸込み口と対向するが、一部は本体前面と対向するよう延出される。これに対して吸込み口が本体上面に設けられるので、吸込み口から吸込まれる室内空気が、熱交換器の本体前面と対向する部位（前側熱交換器部）の、特に下端部には流通し難い。
【０００４】
そこで、室内空気を、より多く前側熱交換器部下端部まで導くよう、本体前面壁を手前側に膨出形成して、本体と前側熱交換器部との間隙をより多く取る考えがある。この場合は、本体の大型化につながるとともに、居住人に対する圧迫感が増してしまう。  
これに対して、近時、本体前面に開口部を設けて、ここに可動パネルを取付け、運転停止時には可動パネルで本体前面を遮蔽し、空調運転時には開放して、室内空気を直接、前側熱交換器部の特に下部に集中して吸込ませるようにした発明が開示される。
【先行技術文献】
【特許文献】
【０００５】
【特許文献１】特開２００７−１９２４８０号公報
【発明の概要】
【発明が解決しようとする課題】
【０００６】
具体的には、吹出し口に２枚のルーバを備えて、吹出し口を開閉するとともに、開放した状態で吹出し口から吹出される熱交換空気の風向を設定する。可動パネルは、吹出し口上端に枢支点を備え、自由端である上端は前側熱交換器部の高さ方向の略中間部か、それ以上の高さ部位と対向するよう設定される。
【０００７】
したがって、可動パネルは本体前面を開閉するのみで、吹出し口を開閉することはない。空調運転時に水平方向に回動変位した状態では、可動パネルの本体からの突出長さがすこぶる大となるとともに、前側熱交換器部が略半分もしくは、それ以上は室内に露出してしまう。
【０００８】
本実施形態は上記事情にもとづきなされたものであり、居住人に対する圧迫感を増すことなく、室内空気の熱交換器に対する吸込み風量の増大化を図って熱交換効率の向上を得るとともに、吹出し部の前面部を遮蔽可能とした空気調和機の室内機を提供する。
【課題を解決するための手段】
【０００９】
本実施形態における空気調和機の室内機は、  
室内機本体に、室内から取込まれる空気が流通する吸込み部および、室内へ吹出される空気が流通する吹出し部が開口される。  
さらに室内機本体内に、室内空気と熱交換する熱交換器および、吸込み部から室内空気を吸込んで熱交換器に流通させ、熱交換した空気を吹出し部から吹出す送風機が収容される。  
上記吹出し部は、室内機本体の前面下部に設けられ、上記吸込み部は、室内機本体上面部に設けられる上面吸込み部と、吹出し部の上端縁に沿って設けられ熱交換器下端部と対向する前面下部吸込み部とからなる。  
開閉パネルは、前面下部吸込み部に設けられ、開閉機構に連結されて回動駆動される。さらに開閉パネルは、空調運転停止時に、前面下部吸込み部を遮蔽するとともに、吹出し部の前面部を遮蔽する。
【図面の簡単な説明】
【００１０】
【図１】第１の実施形態に係る、空気調和機の室内機の外観斜視図。
【図２】同実施形態に係る、室内機の縦断面図。
【図３】同実施形態に係る、前面パネルを取外した状態の室内機の斜視図。
【図４】同実施形態に係る、開閉パネルの開閉機構を説明する図。
【図５】同実施形態に係る、空調運転停止時の要部の縦断面図。
【図６】同実施形態に係る、空調運転時の要部の縦断面図。
【図７】同実施形態に係る、空調運転時の吸込み領域と吹出し領域を説明する模式図。
【発明を実施するための形態】
【００１１】
以下、本実施形態を図面にもとづいて説明する。  
図１は、空気調和機の室内機の外観斜視図であり、特に、空調運転時の状態を示している。  
室内機本体１は、後板筐体２と、前側筐体である前面パネル３とからなり、上下方向に対して左右幅方向が長い横長の函体形状をなしている。後板筐体２の背面部が室内壁面高所の取付け板に取付けられる、いわゆる壁掛け形のものである。
【００１２】
上記後板筐体２は、室内機本体１の背面部と、底面一部を構成している。前面パネル３は、いわゆる化粧パネルであって、前面部３ａと、左右両側部３ｂと、上面部３ｃを備え、背面および底面が開口する箱形状をなしている。この前面パネル３の開口部が後板筐体２に嵌め込まれて室内機本体１が構成される。
【００１３】
前面パネル３の上面部３ｃは、その大部分が開口され、上面吸込み口（上面吸込み部）５となっている。この上面吸込み口５には枠状の桟６が嵌め込まれていて、上記桟６によって複数の空間部に仕切られ、室内機本体１内部に対して常に開放状態にある。
【００１４】
前面パネル３の前面部下端に沿って後述する開閉パネル７が設けられるとともに、この開閉パネル７と平行に吹出しルーバ（風向案内体）８が設けられる。これら開閉パネル７と吹出しルーバ８によって、前面パネル３の前面部３ａ下端と左右両側部３ｂ前端および後板筐体２の底面前端とで囲まれる空間部が開閉自在となっている。
【００１５】
図２は、空気調和機の室内機の縦断面図であり、特に、空調運転停止時の状態を示している。  
開閉パネル７と吹出しルーバ８が取付けられる上記空間部に、前面下部吸込み口（前面吸込み部）１０と吹出し口１１とが平行に形成される。前面下部吸込み口１０は上記前面パネル３の前面部３ａ下端に沿って開口し、上記吹出し口１１は前面下部吸込み口１０と後板筐体２の底面部前端との間に開口している。
【００１６】
すなわち、この室内機本体１においては、吹出し口１１が室内機本体１の前面下部に設けられ、吸込み口は、前面パネル３の上面部３ｃに設けられる上面吸込み口５と、吹出し口１１の上端縁に沿って平行に設けられる前面下部吸込み口１０とからなる。
【００１７】
上記開閉パネル７の左右幅方向とは直交する前後方向の幅は、前面下部吸込み口１０の同方向全部と、吹出し口１１上端部とに亘って設けられ、後述する開閉機構Ｋに連結される。上記吹出しルーバ８は、吹出し口１１を開閉するとともに、吹出し口１１から吹出される熱交換空気の吹出し方向を可変するよう図示しない駆動機構に連結される。
【００１８】
上記開閉パネル７は、前面パネル前面部３ａの湾曲した断面形状の延長上になる湾曲した断面形状をなす。同様に、吹出しルーバ８も開閉パネル７の湾曲した断面形状の延長上になる湾曲した断面形状をなす。空調運転停止時において、外観的に前面パネル前面部３ａと、開閉パネル７および吹出しルーバ８は、連続曲面を形成していて美観に優れる。
【００１９】
上記吹出しルーバ８は、１枚の水平ルーバ８ａの上に、複数枚の縦ルーバ８ｂが所定間隔を存して載設されてなる。水平ルーバ８ａは、回動姿勢によって吹出し口１１を開閉し、さらに運転条件に応じて熱交換空気の吹出し方向を設定する。縦ルーバ８ｂは、複数枚ずつが１組となり、各組毎に一斉に回動駆動されて左右方向の風向を変える。
【００２０】
室内機本体１内には、側面視で略くの字状に湾曲成される前側熱交換器部１３Ａと、斜め直状の後側熱交換器部１３Ｂとを組合せ、略逆Ｖ字状に形成される室内熱交換器１３が配置される。  
前側熱交換器部１３Ａの上端部を除くほとんど大部分は、前面パネル前面部３ａと間隙を存して対向する。特に、前側熱交換器部１３Ａの下端部は、開閉パネル７によって開閉される前面下部吸込み口１０と間隙を存して対向する。前側熱交換器部１３Ａの下端部を除くほとんど大部分と後側熱交換器部１３Ｂは、上面吸込み口５と対向している。
【００２１】
上記室内熱交換器１３の前後側熱交換器部１３Ａ，１３Ｂ相互間には、室内送風機１４が配置される。室内送風機１４は、支持体に支持されるファンモータと、このファンモータの回転軸に嵌着される横流ファンとから構成される。ファンモータの軸方向長さは室内熱交換器１３の幅方向長さに一致し、かつ正しく対向している。
【００２２】
上記前側熱交換器部１３Ａの下端部は、前ドレンパン１５ａ上に載り、上記後側熱交換器部１３Ｂの下端部は後ドレンパン１５ｂ上に載る。前、後ドレンパン１５ａ，１５ｂは、後板筐体２に一体成形され、それぞれの熱交換器部１３Ａ，１３Ｂから滴下するドレン水を受け、排水ホースを介して外部に排水できるようになっている。
【００２３】
前後ドレンパン１５ａ，１５ｂの一部側壁外面は室内送風機１４に近接して設けられ、これらで室内送風機１４の横流ファンに対するノーズを構成している。ノーズとなる前後ドレンパン１５ａ，１５ｂの側壁部分と吹出し口１１の各辺部との間は、隔壁部材１６によって連結される。
【００２４】
上記隔壁部材１６で囲まれる空間が、室内送風機１４の駆動により、室内送風機１４からノーズと吹出し口１１とを連通する吹出し通風路１７となる。その一方で、室内送風機１４の駆動により、上記上面吸込み口５および前面下部吸込み口１０から室内熱交換器１３を介して室内送風機１４に至る吸込み通風路１８が形成される。
【００２５】
前面パネル３の前面部３ａおよび上面部３ｃと室内熱交換器１３との間には、フィルタ支持枠体２０が設けられる。フィルタ支持枠体２０は、エアフィルタ（図示しない）を上方向もしくは下方向に移動し支持する。エアフィルタに対向してエアフィルタ清掃ユニット２１が取付けられ、エアフィルタに溜まった塵埃を除去し収容することができる。
【００２６】
図３は、開閉パネル７を含む前面パネル３を後板筐体２から取外した斜視図であり、しかも空調運転時の状態を示している。  
上記室内熱交換器１３の幅方向長さとフィルタ支持枠体２０の幅方向長さは同一に形成され、かつフィルタ支持枠体２０は室内熱交換器１３の前面に正しく正対して配置される。これら室内熱交換器１３およびフィルタ支持枠体２０の一側部（右側部）に電気部品箱Ｄが設けられていて、制御用電気部品が収容される。
【００２７】
上記電気部品箱Ｄの下端部は斜めに形成された表示部１２となっていて、リモートコントローラ（リモコン）からの指令信号を受けてその内容を表示するとともに、指令信号を直接受ける受信部や、居住人および他の発熱体の存在を検知する人感センサ等も備えている。なお、表示部１２は吹出し口１１と直状に並ぶ位置に設けられる。
【００２８】
すなわち、図１に示すように、前面パネル３を後板筐体２に嵌め込んだ状態で、吹出し口１１および、ここに取付けられる吹出しルーバ８は表示部１２と並んで見える。また、前面パネル３の電気部品箱Ｄと対向する部位は遮蔽され、電気部品箱Ｄと対向しない部位に上面吸込み口５と前面下部吸込み口１０が開口される。
【００２９】
ただし、開閉パネル７は前面パネル３の前面部３ａと一体化する外観を保持するために、前面部３ａの左右幅寸法と同一の左右幅寸法に形成される。したがって、開閉パネル７の一側部（右側部）は前面下部吸込み口１０の一側部を越えて表示部１２を覆うよう延長される。この状態でも、先に説明した受信部や人感センサは露出している。
【００３０】
上記フィルタ支持枠体２０は、下端部にエアフィルタ駆動機構を備え、左右幅方向に所定間隔を存して設けられる縦桟２０ａと、これら縦桟２０ａと交差して上下方向に所定間隔を存して設けられる横桟２０ｂとが、前後方向に二重に重ね合わされ、エアフィルタを前側と後側に亘って移動支持する移動路を形成している。
【００３１】
エアフィルタ清掃ユニット２１は、移動するエアフィルタに摺接するブラシ体と、このブラシ体がエアフィルタから除去した塵埃を収容するダストボックスから構成される。ダストボックスは、室内機本体１から着脱自在に取付けられる。
【００３２】
上記フィルタ支持枠体２０を介して室内熱交換器１３を構成する前側熱交換器部１３Ａが見える。室内熱交換器１３の左右幅方向長さと、フィルタ支持枠体２０の左右幅方向長さは同一に設定され、室内熱交換器１３の前面にフィルタ支持枠体２０が正対するよう配置される。
【００３３】
図４は、上記開閉パネル７を駆動する開閉機構Ｋを説明する図である。  
すなわち、図４（Ａ）は空調運転停止時における開閉パネル７の位置姿勢の側面図、図４（Ｂ）は空調運転時における開閉パネル７の位置姿勢の側面図、図４（Ｃ）は同じ空調運転時における開閉パネル７の位置姿勢を示し、その斜視図である。
【００３４】
前面下部吸込み口１０の一側部には開閉機構Ｋを構成する駆動モータ２５が取付けられる。この駆動モータ２５の回転軸には駆動ギヤが嵌着され、さらに駆動ギヤに噛合する従動ギヤが枢支される（いずれのギヤも図示しない）。
【００３５】
上記従動ギヤの回転軸には第１のリンク２６の一端部が嵌着され、従動ギヤの回転とともに第１のリンク２６の他端部が回動変位するようになっている。そして、第１のリンク２６の他端部には第２のリンク２７の一端部が枢支される。第２のリンク２７は、第１のリンク２６全長の約２倍の全長がある。
【００３６】
一方、開閉パネル７の左右両側部には回動軸ａが突設され、それぞれの回動軸ａは前面パネル３の前面部３ａに回動自在に枢支される。開閉機構Ｋが取付けられる側である開閉パネル７の一方の側部で、回動軸ａとは所定間隔を存した部位に、第２のリンク２７の他端部ｂが回動自在に枢支される。
【００３７】
駆動モータ２５とギヤ類は、モータケース２８内に収容される。第１のリンク２６は、その回動姿勢に係らずモータケース２８内に収容される。第２のリンク２７は少なくとも一部がモータケース２８内に収容され、残り部分がモータケース２８から突出するよう構成される。
【００３８】
図４（Ａ）において、第１のリンク２６と第２のリンク２７が互いに鋭角状に交差し、かつ第２のリンク２７がほぼ水平姿勢位置にある。この状態で第２のリンク２７の開閉パネル７に取付けられる他端部ｂが、開閉パネル７の回動軸ａの下方にあり、開閉パネル７自体は前面パネル前面部３ａ下端部からの延長上にある。  
このときは、空調運転が停止しており、上述したように開閉パネル７は前面下部吸込み口１０の前面を遮蔽するとともに、吹出し口１１の前面部を遮蔽している。
【００３９】
図４（Ｂ）において、駆動モータ２５を駆動して第１のリンク２６を前方に傾かせ、第２のリンク２７と屈曲状に変位することにより、第２のリンク２７の他端部は前方に突出する。開閉パネル７の回動軸ａの前方に第２のリンク２７の他端部ｂが変位するところから、開閉パネル７は前面パネル前面部３ａに対して略直交する姿勢に変わる。  
このときは、空調運転がなされており、上述したように開閉パネル７は前面下部吸込み口１０と吹出し口１１とを開放する。図４（Ｃ）は、そのときの状態を斜視図で示している。
【００４０】
このようにして構成される空気調和機の室内機であって、図２に示す運転停止の状態から運転開始信号が入り空調運転が開始されると、図１に示すように開閉パネル７および吹出しルーバ８が回動駆動される。
【００４１】
ここでは図示しない室外機の圧縮機が駆動されるとともに、室内送風機１４の横流ファンが回転して送風作用をなす。圧縮機の駆動にともなって冷凍サイクル運転が開始され、室内熱交換器１３に冷媒が導かれる。室内送風機１４の駆動により、上面吸込み口５と前面下部吸込み口１０から本体１内に室内空気が吸込まれて吸込み通風路１８に導かれる。
【００４２】
上面吸込み口５と前面下部吸込み口１０から本体１内に吸込まれた室内空気はエアフィルタを流通し、室内空気に含まれる塵埃が捕捉される。清浄化された室内空気が室内熱交換器１３を流通し、圧縮機から吐出され冷凍サイクル回路を導かれた冷媒と熱交換する。冷房運転が選択された場合は冷気となり、暖房運転が選択された場合は暖気となる。
【００４３】
いずれの熱交換空気も吹出し通風路１７に沿って導かれ、吹出しルーバ８を構成する水平ルーバ８ａと縦ルーバ８ｂに案内されて吹出し口１１から吹出される。  
特に、水平ルーバ８ａの回動姿勢から、冷気は室内上部へ吹出され、居住人の足元を冷やすことがない快適冷房作用が行われる。暖気は床面へ向って吹出され、居住人を足元から暖める快適暖房作用が行われる。
【００４４】
図５は、空調運転停止時における、開閉パネル７と吹出しルーバ８の位置姿勢を説明する図である。  
開閉パネル７は、図４（Ａ）にもとづいて説明したような開閉機構Ｋにより、この上端縁が前面パネル前面部３ａの下端縁と近接する位置まで延出している。したがって、前面パネル前面部３ａ下端縁と、吹出し口１１上端縁との間に形成される前面下部吸込み口１０の前面は、開閉パネル７によって遮蔽されている。
【００４５】
この姿勢での開閉パネル７の下端縁ｄは、吹出し口１１上端部に対向するよう延出し、前面下部吸込み口１０の下部に沿って形成される吹出し口１１前面部を遮蔽している。また、吹出しルーバ８は開閉パネル７と干渉しない範囲で吹出し口１１を横断するように位置しており、運転停止モードの吹出閉止位置で吹出し口１１下面側を遮蔽している。
【００４６】
このように、開閉パネル７によって室内機の吹出し口１１前方を遮蔽することにより、運転停止時において、室内壁面に設置した室内機本体１の吹出し口１１を露出させないようにすることで、吹出し口１１に対する埃の付着防止と、意匠性の向上を図ることができる。
【００４７】
図６は、空調運転（冷房運転）時における、開閉パネル７と吹出しルーバ８の位置姿勢を説明する図である。  
開閉パネル７は、先に図４（Ｂ）（Ｃ）にて説明したような開閉機構Ｋの動作により略水平姿勢に変えられ、前面下部吸込み口１０と吹出し口１１を全開状態に開放する。したがって、前面下部吸込み口１０から室内機本体１内に室内空気が吸込まれ、エアフィルタを介して室内熱交換器１３を構成する前側熱交換器部１３Ａの下端部を流通する。
【００４８】
その一方で、上面吸込み口５は全面的に常時開放されているから、ここから室内機本体１内にエアフィルタを介して室内空気が吸込まれ、前側熱交換器部１３Ａの上部と後側熱交換器部１３Ｂ全体を流通する。
【００４９】
結局、上面吸込み口５ばかりでなく、前面下部吸込み口１０を備えることで、室内空気が室内熱交換器１３全体に亘って略均等な状態で流通し、熱交換する。前側熱交換器部１３Ａの下端部には流通し難かった構造の室内機と比較して、吸込み風量が増大し、室内熱交換器１３の熱交換効率の向上を得られる。
【００５０】
上記吹出しルーバ８は、冷房運転と暖房運転の選択に応じて有効な角度に設定され、快適な空調効果が得られる。なお、通常運転時において、開閉パネル７は略水平方向に変位保持されるので、吹出し口１１から吹出される熱交換空気の室内への吹出し風路１７の上面に位置し、風の流れが直接当たらない位置にある。
【００５１】
また、従来、吹出し口に２枚の吹出しルーバを平行に備え、それぞれを駆動機構に連結して、それぞれが別個に制御される構造のものがあるが、この場合は、機構部品が多くなり部品費が嵩むとともに、制御が複雑となる。
【００５２】
さらに、従来、吹出し口に１枚の吹出しルーバを備え、これを駆動機構に連結し、制御する構造のものがあるが、この吹出しルーバは左右幅方向とは直交する前後方向の長さ寸法を、吹出し口の前後方向長さと略同一に設定しないと、吹出し口全体を遮蔽することができない。
【００５３】
吹出しルーバが、１枚の水平ルーバ上に複数枚の縦ルーバを載設した構造であると、たとえば暖房運転時に、水平ルーバを所定角度に回動変位する前に縦ルーバが吹出し通風路を構成する隔壁部分に当接してしまう。すなわち、吹出しルーバの風向案内角度が規制され、有効な風向案内ができない。
【００５４】
これに対して本実施形態では、吹出し口１１の前面部を開閉パネル７が遮蔽し、下面部分を吹出しルーバ８が遮蔽する。開閉パネル７が存在する分、吹出しルーバ８の前後方向長さを短く設定でき、吹出しルーバ８の前方に形成する隙間を開閉パネル７で遮蔽することで、停止時において室内機本体１前方から吹出し口１１が見えることを防止できる。
【００５５】
１枚の水平ルーバ８ａ上に複数枚の縦ルーバ８ｂを載設してなる構成の吹出しルーバ８でありながら、この回動角度を大きく取っても、吹出し通風路１７を構成する隔壁部材１６に当接せず、十分な隙間を確保できる。すなわち、吹出しルーバ８の風向案内角度が大きくなり、有効化の向上を得る。
【００５６】
図７は、空調運転時における室内空気の吸込み領域ＩＲと、熱交換空気の吹出し領域ＯＲを説明する模式図である。  
吸込み領域ＩＲの上端は上面吸込み口５全体に相当し、吸込み領域ＩＲの下端は前面下部吸込み口１０の下端に相当する。上記開閉パネル７の回動軸ａである枢支部は前面下部吸込み口１０に対向する位置に設けられているところから、開閉パネル７を略水平状態に位置姿勢を設定することで、全体的に吸込み領域ＩＲに位置する。
【００５７】
したがって、吹出し口１１から吹出される熱交換空気の一部が、上方の吸込み領域ＩＲに吸込まれようとしても、開閉パネル７によって阻止される。吹出し口１１と前面下部吸込み口１０とが接する構造でありながら、吹出し口１１から前面下部吸込み口１０への、いわゆるショートサーキットを開閉パネル７が阻止し、熱交換効率の向上に寄与する。
【００５８】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００５９】
１１…吹出し口（吹出し部）、１…室内機本体、１３…室内熱交換器、１４…室内送風機、５…上面吸込み口（上面吸込み部）、１０…前面下部吸込み口（前面下部吸込み部）、Ｋ…開閉機構、７…開閉パネル、８…吹出しルーバ（風向案内体）、１７…吹出し通風路。
【図１】
2012042181.tif 000003
【図２】
2012042181.tif 000004
【図３】
2012042181.tif 000005
【図４】
2012042181.tif 000006
【図５】
2012042181.tif 000007
【図６】
2012042181.tif 000008
【図７】
2012042181.tif 000009